(57)【特許請求の範囲】
【請求項１】
ディスクの中心孔に嵌合して芯出しを行う凸部を有し、ディスクを載置して回転可能に保持するターンテーブルと、
前記ターンテーブルを搭載し、装置内で昇降可能に保持され、昇降動作により前記ターンテーブル上にディスクを着脱可能なディスク演奏部と、
前記ターンテーブル上に載置されたディスクを押圧可能なディスク押圧部を有するクランパーと、
前記ターンテーブル上の前記凸部に乗り上げたディスクを前記クランパーの高さの差により検出するディスクずれ検出手段と、
前記クランパーを上下に相対移動可能な状態で上方から保持し、ディスク演奏部が上昇した際にディスクがターンテーブル上の凸部に乗り上げた状態である場合に、クランパーのディスク押圧部と反対側の面が当接する当接箇所を有するクランパー保持部材とを備え、
前記クランパー保持部材におけるクランパーとの当接箇所の、前記ディスクずれ検出手段と前記ターンテーブルの中心を挟んで略対称な位置に、下方に突出して前記当接部分において段差を生じさせることでクランパーとの当接時に前記クランパーのディスクずれ検出スイッチ側が常に上方になるようにクランパーを傾斜した状態で押し上げて前記ディスクずれ検出手段に対する押し上げ量を確保させる当接凸部を設けたディスク演奏装置。
【発明の詳細な説明】
【０００１】
【発明の属する技術分野】
本発明は、ディスクをクランプして記録再生するディスク演奏装置に関するものである。
【０００２】
【従来の技術】
図７〜図１２に従来のディスク演奏装置の一例を示す。
図７はディスク演奏装置を上から見た平面図、図８はディスク演奏装置のディスク中央部での断面図、図９はディスク演奏状態の要部拡大断面図である。
【０００３】
図７、図８において、１００は本体、１０１はトレイ、１０２はディスク収納部、１０３はディスク演奏部、１１２はディスクである。トレイ１０１はディスク１１２を載置して装置に出し入れするとともに装置内でディスク収納部１０２とディスク演奏部１０３との間を摺動往復してディスク１１２を交換できるように構成されている。ディスク演奏部１０３は本体１００内のディスク演奏部１０３の左右両側にカム溝を有して構成された一対の昇降手段（図示せず）により上下に昇降可能に保持されている。ディスク演奏部１０３は、ディスク演奏時および輸送時には上昇してディスク１１２をクランプ可能な状態で停止しているが、トレイ１０１がディスク１１２の装置への出し入れを行うために開閉摺動する時と、装置内でディスク収納部１０２とディスク演奏部１０３との間をディスク搬送摺動するときは下降するようにタイミングを合わせて上下摺動するように構成されている。なお、図１０はディスク演奏部１０３がトレイ１０１のオープン時に下降した状態を示す断面図である。
【０００４】
１０４はクランパー、１０５はマグネット、１０６は固定板、１０７はクランパー保持部材、１０８はターンテーブルである。クランパー１０４は内部中央付近にマグネット１０５を載置可能で、固定板１０６と係合合体することによりマグネット１０５を内部に固定保持できるように構成されている。ターンテーブル１０８はディスク演奏部１０３上部のディスク演奏状態でのディスク中央部分に回転可能に保持され、中央部の凸部１０８ａ（凸部の高さ約３ｍｍ）と、凸部１０８ａの周囲を取り囲むように円周状に位置するディスク載置部１０８ｂとから構成されている。凸部１０８ａはディスク演奏状態であるディスク演奏部１０３の上昇状態においてクランパー１０４の中央部と対向接近するように構成されている。また、凸部１０８ａの頂上部には、クランパー１０４内に設けられたマグネット１０５に対向する位置に磁性体の板状部材である吸着板（図示せず）が設けられており、ディスククランプ時に磁力を発生してクランパー１０４がターンテーブル１０８上に載置されたディスク１１２を押圧するように構成されている。
【０００５】
クランパー保持部材１０７はディスク演奏部１０３が下降したときに固定板１０６の外周部を保持するとともに（図１０参照）、ディスク演奏部１０３が上昇してディスククランプ状態になったときには、クランパー１０４および固定板１０６に対して上下および左右に隙間を持って非接触になるように構成されている。
【０００６】
１０９はディスクずれ検出スイッチ、１１０はワイヤ１１１（図７参照）を介して操作基板系（図示せず）に接続されたスイッチ基板である。図９に示すような通常の演奏状態では、ディスク１１２はターンテーブル１０８のディスク載置部１０８ｂ上に載置され、クランパー１０４の外周ディスク押圧部１０４ａによりターンテーブル１０８に対して押圧固定されている。そして、この通常の演奏状態では、図９に示すように、ディスクずれ検出スイッチ１０９の可動部１０９ａの先端が固定板１０６と隙間（約１ｍｍ）を有して位置している。
【０００７】
図１１はディスクずれ検出スイッチ１０９にてディスクずれを検出した状態を示す要部拡大断面図である。オープン状態のトレイ１０１上へユーザーがディスクをずれた状態で置きながら、トレイ１０１の挿入動作を行った時などの、ディスク１１２の中心がずれた状態でディスク演奏部１０３が上昇した場合は、図１１に示すように、ディスク１１２はターンテーブル１０８の凸部１０８ａ上に乗り上げ、この乗り上げたディスク１１２がクランパー１０４のディスク押圧部１０４ａに当接し、互いに係合されているクランパー１０４および固定板１０６を、クランパー１０４のディスク押圧部１０４ａの上面がクランパー保持部材１０７の円周状に設けられた平面部１０７ａに均等に当接するまで約２．５ｍｍ水平に押し上げる（実際には凸部１０８ａの高さ分（３ｍｍ）押し上げるが、２．５ｍｍ押し上げた時点でクランパー１０４のディスク押圧部１０４ａがクランパー保持部材１０７の平面部１０７ａに当接し、残りの０．５ｍｍはディスク演奏部１０３のフローティングゴムおよびばね（図示せず）等により吸収される）。また、ディスク１１２の乗り上げにより通常演奏時より約２．５ｍｍ上昇した固定板１０６はディスクずれ検出スイッチ１０９の可動部１０９ａを約１．５ｍｍ押し上げ、ディスクずれ検出スイッチ１０９をオン状態にする。このオン状態の信号はスイッチ基板１１０、ワイヤ１１１を経由して操作基板系（図示せず）に送信され、ディスクずれが発生したことを知らせ、これにより、ディスクずれとなった状態でディスク演奏装置が駆動されてディスク１１２が装置内でひっかかって装置の故障が発生することを未然に防ぐように図られている。
【０００８】
【発明が解決しようとする課題】
しかしながら、上記のようなディスク演奏装置の他種の装置への展開を考え、図１２に示すように、ターンテーブル２０８の形状の違うディスク演奏部２０３を装着したところ、ディスクずれが発生したにもかかわらず、ディスクずれ検出スイッチ１０９によりディスクずれが検出できず、ずれたディスク１１２が装置内でひっかかり、装置の故障が発生した。
【０００９】
この原因を調べたところ、ディスク１１２がずれ置きされたときにディスク１１２が乗り上げる部分であるターンテーブル２０８の中央の凸部２０８ａの高さが、図８〜図１１に示したディスク演奏部１０３におけるターンテーブル１０８の凸部１０８ａの高さより約１ｍｍ低く、そのためにクランパー２０４および固定板２０６を押し上げる量がクランパー２０４とクランパー保持部材１０７の隙間である約２．５ｍｍよりも約０．５ｍｍ不足するため、平均的押し上げ量が約０．５ｍｍ少ないことがわかった。また、平均的押し上げ量が少なくなったことにより、クランパー２０４のディスク押圧部２０４ａがクランパー保持部材１０７の平面部１０７ａに均等に当接されない場合が発生し、その場合にはクランパー２０４および固定板２０６が傾斜した状態で押し上げられるため、図１２に示すように、固定板２０６のディスクずれ検出スイッチ１０９に対向する部分が低くなるような傾斜状態で押上げられた場合に、固定板２０６によるスイッチ押し上げ量が図１１に示した状態より１ｍｍ以上少なくなり、ディスクずれ検出スイッチ１０９をオン状態まで押し上げることができなくなり、ディスクずれの検出を失敗することもわかった。
【００１０】
本発明の目的は、前述のような問題を解決するためになされたもので、ディスク演奏部のターンテーブルの中央の凸部が低い場合でも、確実にディスクずれを検出でき、検出ミスによる装置内でのディスクの引っ掛かりによる故障のないディスク演奏装置を提供することである。
【００１１】
【課題を解決するための手段】
上記課題を解決するために本発明のディスク演奏装置は、ディスクの中心孔に嵌合して芯出しを行う凸部を有し、ディスクを載置して回転可能に保持するターンテーブルと、
前記ターンテーブルを搭載し、装置内で昇降可能に保持され、昇降動作により前記ターンテーブル上にディスクを着脱可能なディスク演奏部と、
前記ターンテーブル上に載置されたディスクを押圧可能なディスク押圧部を有するクランパーと、
前記ターンテーブル上の前記凸部に乗り上げたディスクを前記クランパーの高さの差により検出するディスクずれ検出手段と、
前記クランパーを上下に相対移動可能な状態で上方から保持し、ディスク演奏部が上昇した際にディスクがターンテーブル上の凸部に乗り上げた状態である場合に、クランパーのディスク押圧部と反対側の面が当接する当接箇所を有するクランパー保持部材とを備え、
前記クランパー保持部材におけるクランパーとの当接箇所の、前記ディスクずれ検出手段と前記ターンテーブルの中心を挟んで略対称な位置に、下方に突出して前記当接部分において段差を生じさせることでクランパーとの当接時に前記クランパーのディスクずれ検出スイッチ側が常に上方になるようにクランパーを傾斜した状態で押し上げて前記ディスクずれ検出手段に対する押し上げ量を確保させる当接凸部を設けたディスク演奏装置である。
【００１２】
本発明は上記した構成によって、ディスク演奏部のターンテーブルの中央の凸部が低い場合でも、確実にディスクずれを検出できるため、検出ミスによる装置内でのディスクの引っ掛かりによる故障を防止できる。
【００１３】
【発明の実施の形態】
本発明の請求項１に記載の発明は、ディスクの中心孔に嵌合して芯出しを行う凸部を有し、ディスクを載置して回転可能に保持するターンテーブルと、
前記ターンテーブルを搭載し、装置内で昇降可能に保持され、昇降動作により前記ターンテーブル上にディスクを着脱可能なディスク演奏部と、
前記ターンテーブル上に載置されたディスクを押圧可能なディスク押圧部を有するクランパーと、
前記ターンテーブル上の前記凸部に乗り上げたディスクを前記クランパーの高さの差により検出するディスクずれ検出手段と、
前記クランパーを上下に相対移動可能な状態で上方から保持し、ディスク演奏部が上昇した際にディスクがターンテーブル上の凸部に乗り上げた状態である場合に、クランパーのディスク押圧部と反対側の面が当接する当接箇所を有するクランパー保持部材とを備え、
前記クランパー保持部材におけるクランパーとの当接箇所の、前記ディスクずれ検出手段と前記ターンテーブルの中心を挟んで略対称な位置に、下方に突出して前記当接部分において段差を生じさせることでクランパーとの当接時に前記クランパーのディスクずれ検出スイッチ側が常に上方になるようにクランパーを傾斜した状態で押し上げて前記ディスクずれ検出手段に対する押し上げ量を確保させる当接凸部を設けたディスク演奏装置である。
【００１４】
この発明によれば、ディスクずれ置き時に、クランパーは、クランパー保持部材に設けられた当接凸部の作用により、ディスクずれ検出スイッチ側が常に上方になるように安定して傾斜した状態で押し上げられるので、ディスク演奏部に搭載されているターンテーブルの中央の凸部の高さが低いディスク演奏部を使用しても、ディスクずれ検出スイッチに対する押し上げ量が安定して確保でき、ディスクずれの検出ミスが原因で発生するディスク演奏装置の故障を確実に防止することができる。
【００１５】
以下に、本発明の実施の形態の一例であるディスク演奏装置について、図を参照しながら説明する。
図１、図２において、１は本体、２はトレイ、３はディスク収納部、４はディスク演奏部、１３はディスクである。トレイ２はディスク１３を載置して装置に出し入れするとともに装置内でディスク収納部３とディスク演奏部４との間を摺動往復してディスク１３を交換できるように構成されている。ディスク演奏部４は本体１内のディスク演奏部４の左右両側にカム溝を有して構成された一対の昇降手段（図示せず）により上下に昇降可能に保持されている。ディスク演奏部４は、ディスク演奏時および輸送時には上昇してディスク１３をクランプ可能な状態で停止しているが、トレイ２がディスク１３の装置への出し入れを行うために開閉摺動する時と、装置内でディスク収納部３とディスク演奏部４との間をディスク搬送摺動するときは下降するようにタイミングを合わせて上下摺動するように構成されている。なお、図３は、通常演奏状態を示す要部拡大断面図、図４はディスク演奏部４がトレイ２のオープン時に下降した状態を示す断面図である。
【００１６】
５はクランパー、６はマグネット６ａとバックヨーク６ｂとが一体化されたマグネットユニット、７は固定板、８はクランパー保持部材、９はターンテーブルである。クランパー５は内部中央付近にマグネットユニット６を載置可能で、固定板７と係合合体することによりマグネットユニット６を内部に固定保持できるように構成されている。ターンテーブル９はディスク演奏部４上部のディスク演奏状態でのディスク中央部分に回転可能に保持され、中央部の凸部９ａ（凸部の高さ約２ｍｍ）と、凸部９ａの周囲を取り囲むように円周状に位置するディスク載置部９ｂとから構成されている。凸部９ａはディスク演奏状態であるディスク演奏部４の上昇状態においてクランパー５の中央部と対向接近するように構成されている。また、凸部９ａの頂上部には、クランパー５内に設けられたマグネット６に対向する位置に磁性体の板状部材である吸着板（図示せず）が設けられており、ディスククランプ時に磁力を発生してクランパー５がターンテーブル９上に載置されたディスク１３を押圧するように構成されている。
【００１７】
クランパー保持部材８はディスク演奏部４が下降したときに固定板７の外周部を保持するとともに（図４参照）、ディスク演奏部４が上昇してディスククランプ状態になったときには、クランパー５および固定板７に対して上下および左右に隙間を持って非接触になるように構成されている。
【００１８】
１０はディスクずれ検出スイッチ、１１はワイヤ１２（図１参照）を介して操作基板系（図示せず）に接続されたスイッチ基板である。図３に示すような通常の演奏状態では、ディスク１３はターンテーブル９のディスク載置部９ｂ上に載置され、クランパー５のディスク押圧部５ａによりターンテーブル９に対して押圧固定されている。そして、この通常の演奏状態では、図３に示すように、ディスクずれ検出スイッチ１０の可動部１０ａの先端が固定板７と隙間（約１ｍｍ）を有して位置している。
【００１９】
図５はディスクずれ検出スイッチ１０にてディスクずれを検出した状態を示す要部拡大断面図である。オープン状態のトレイ２上へユーザーがディスク１３をずれた状態で置きながらトレイ２の挿入動作を行った時など、ディスク１３の中心がずれた状態でディスク演奏部４が上昇した場合は、図５に示すように、ディスク１３はターンテーブル９の凸部９ａ上に乗り上げ、この乗り上げたディスク１３がクランパー５のディスク押圧部５ａに当接する。そして、クランパー５のディスク押圧部５ａの反対面である上面が、クランパー５に係合されているクランパー保持部材８の外周側に円周状に設けられた平面部８ａと、平面部８ａと略同半径位置で、かつ、ディスクずれ検出スイッチ１０に対してターンテーブル９の中心を挟んで略対称位置に設けられた当接凸部８ｂ（平面部８ａからの突出高さ約１．２ｍｍ）との両方に当接した姿勢で、ディスク１３およびクランパー５が傾斜して押し上げられるようになっている。
【００２０】
ここで、このクランパー保持部材８におけるクランパー５との当接箇所である、平面部８ａと当接凸部８ｂとについて、図６を参照しながら詳しく述べる。図６は、クランパー５、クランパー保持部材８に設けられた平面部８ａおよび当接凸部８ｂ、ディスクずれ検出スイッチ１０の平面位置関係を示す底面図で、装置の下側、つまりディスク演奏部４側から見た図である。
【００２１】
図６に示すように、当接凸部８ｂ（平面部８ａからの高さ約１．２ｍｍ）は、ディスクずれ検出スイッチ１０に対してターンテーブル９の中心Ｏ、つまり演奏時のディスク１３の中心を挟んで略反対側（左１１４°から右１３３°に至る図６において斜線で示した範囲）で、ターンテーブル９の中心Ｏに対して半径１７．９ｍｍから半径２０．５ｍｍに至る範囲に設けられている。また、クランパー保持部材８の円周状の平面部８ａは、ターンテーブル９の中心に対して半径１８．５ｍｍから半径２０．５ｍｍに至る範囲で、当接凸部８ｂが設けられている範囲以外の箇所、すなわちディスクずれ検出スイッチ１０側に左１１４°、右１３３°の範囲に設けられている。また、図６では２点鎖線で示しているが、クランパー５のディスクずれ置き時にクランパー保持部材８と当接する外周平面部５ｂは、クランパー５の中心に対して半径１６．５ｍｍから半径２０ｍｍに至る範囲に設けられている。なお、ディスクずれ検出スイッチ１０の可動部１０ａは、ターンテーブル９の中心から半径約１２．９ｍｍのところに設けられている。また、通常演奏時におけるクランパー５の外周平面部５ｂとクランパー保持部材８の当接凸部８ｂの隙間は、約１．３ｍｍになるように設定している。
【００２２】
この構成で、図５に示すように、ディスクずれ置き状態を発生させると、クランパー５および固定板７は、クランパー５の外周平面部５ｂが、クランパー保持部材８の平面部８ａと当接凸部８ｂとに確実に当接するまで押し上げられる。つまり、クランパー５、マグネットユニット６、および固定板７で構成されるクランパーユニットはディスクずれ置き状態では常にディスク検出スイッチ１０側が上昇するような状態で、クランパー保持部材８における平面部８ａと当接凸部８ｂとの段差がついている箇所に当接して約１．８°傾斜して押し上げられる。この結果、ディスク演奏部４のターンテーブル９の凸部９ａが低い場合でも、ディスクずれ検出スイッチ１０の可動部１０ａを固定板７で約１．５ｍｍ押し上げ、ディスクずれ検出スイッチ１０を確実にオン状態にすることができ、ディスクずれの検出ミスが原因で発生するディスク演奏装置の故障を確実に防止することができる。
【００２３】
【発明の効果】
以上のように、本発明のディスク演奏装置によれば、クランパー保持部材におけるクランパーのディスク押圧部と反対側の面が当接する当接箇所に、下方に突出して前記当接部分において段差を生じさせることでクランパーとの当接時に前記クランパーのディスクずれ検出スイッチ側が常に上方になるようにクランパーを傾斜した状態で押し上げて前記ディスクずれ検出手段に対する押し上げ量を確保させる当接凸部を設けたことにより、ディスクずれを生じている際には、ディスクずれ検出スイッチ側が常に上方になるように安定して傾斜した状態で押し上げられることとなるので、ディスク演奏部に搭載されているターンテーブルの凸部の高さが低いディスク演奏部を使用しても、ディスクずれ検出スイッチのクランパーによる押し上げ量が安定して確保でき、ディスクずれの検出ミスが原因で発生するディスク演奏装置の故障を確実に防止することができる。
【図面の簡単な説明】
【図１】本発明の実施の形態におけるディスク演奏装置の平面図
【図２】本発明の実施の形態におけるディスク演奏装置の断面図
【図３】本発明の実施の形態におけるディスク演奏装置の通常演奏状態でのディスク演奏部付近の位置関係を示す要部拡大断面図
【図４】本発明の実施の形態におけるディスク演奏装置のトレイオープン時のディスク演奏部付近の位置関係を示す要部拡大断面図
【図５】本発明の実施の形態におけるディスク演奏装置のディスクずれ検出状態でのディスク演奏部付近の位置関係を示す要部拡大断面図
【図６】本発明の実施の形態におけるディスク演奏装置のクランパー保持部材、クランパー、およびディスクずれ検出スイッチの平面位置関係を示す底面図（下方から見た図）
【図７】従来のディスク演奏装置の平面図
【図８】従来のディスク演奏装置の断面図
【図９】従来のディスク演奏装置の通常演奏状態でのディスク演奏部付近の位置関係を示す要部拡大断面図
【図１０】従来のディスク演奏装置のトレイオープン状態でのディスク演奏部付近の位置関係を示す要部拡大断面図
【図１１】従来のディスク演奏装置のディスクずれ検出状態でのディスク演奏部付近の位置関係を示す要部拡大断面図
【図１２】従来のディスク演奏装置で発生したディスクずれ検出ミス状態でのディスク演奏部付近の位置関係を示す要部拡大断面図
【符号の説明】
１        本体
２        トレイ
４        ディスク演奏部
５        クランパー
５ａ      ディスク押圧部
７        固定板
８        クランパー保持部材
８ａ      平面部
８ｂ      当接凸部
９        ターンテーブル
９ａ      凸部
１０      ディスクずれ検出スイッチ
１３      ディスク
【図１】
0004007749.tif 000002
【図２】
0004007749.tif 000003
【図３】
0004007749.tif 000004
【図４】
0004007749.tif 000005
【図５】
0004007749.tif 000006
【図６】
0004007749.tif 000007
【図７】
0004007749.tif 000008
【図８】
0004007749.tif 000009
【図９】
0004007749.tif 000010
【図１０】
0004007749.tif 000011
【図１１】
0004007749.tif 000012
【図１２】
0004007749.tif 000013